Podtech/llm-jp-corpus-v4-ja_patent huggingface dataset:
(57)【要約】【課題】一日に粘度もシャンプーする美容師の手荒れを防止し、改善するシャンプー【解決手段】アシルアラニン塩、アシルグリシン塩、アシルグルタミン酸塩等のアミノ酸系の界面活性剤とラウラミドプロピルベタイン等の両性の界面活性剤を２：１０から１０；２の割合で混合し、さらに使用時に水で４倍以上希釈し使用時の界面活性剤のトータル濃度を８％以下に調整することにより、美容師の手荒れを起こさず、泡立ち、適度な洗浄力、髪を傷めずパサつかないシャンプーを発明した。【特許請求の範囲】
【請求項１】
アシルアラニン塩、アシルグリシン塩、アシルグルタミン酸塩等のアミノ酸系の界面活性剤とラウラミドプロピルベタイン等の両性の界面活性剤を２：１０から１０；２の割合で混合し、さらに使用時に水で４倍以上希釈し使用時の界面活性剤のトータル濃度を８％以下に調整することにより、泡立ち、適度な洗浄力、髪を傷めずパサつかず、手荒れのしないシャンプー
【請求項２】
２ヘキサンジオール、または１，２オクタンジオール３％、またはココイルアルギニンエチル塩を１％以下配合した請求項１のシャンプー
【発明の詳細な説明】
【技術分野】
【０００１】本発明は使用時に水で４倍から１０倍に薄めて使用するシャンプーに関する。
【背景技術】
【０００２】従来のシャンプーはポリオキシエチレンラウリルエーテル硫酸ソーダアシルグルタミン酸ソーダ等の界面活性剤を処方し毛髪ならびに頭皮を洗浄することを目的としている。これらのシャンプーは個人で使用する場合がほとんどであり一日または数日に１度使用する場合がほとんどである。しかしながら理美容室においては一日に何人もの顧客に何度も使用するため理美容師は界面活性剤により手荒れを起こし職業病となっている。
【先行技術】
【０００３】この手荒れを解決するためにシャンプー後ハンドクリームなどを手に塗り手荒れを防ぐなど工夫をしているが手がぬるぬるし頭髪を扱う理美容師は不便を感じている。
【発明の概要】
【発明が解決しようとする課題】
【０００４】シャンプーとしての泡立ち、適度な洗浄力、髪の毛を傷めずに、パサつかない、しっとりする等の特性を保ちながら美容師の職業病である手荒れを最小限にとどめまた繰り返し使用による手荒れを防ぐシャンプーを開発することが求められている。
【課題を解決するための手段】
【０００５】本発明者はアシルアラニン塩、アシルグリシン塩、アシルグルタミン酸塩等のアミノ酸界面活性剤系の界面活性剤とラウラミドプロピルベタイン等の両性の界面活性剤を２：１０から１０；２の割合で混合し、さらに使用時に水で４倍以上希釈し使用時の界面活性剤のトータル濃度を８％以下に調整することにより、泡立ち、適度な洗浄力、髪を傷めずパサつかず美容師の手荒れを防ぐシャンプーを発明した。アシルアラニン塩、アシルグリシン塩、アシルグルタミン酸塩、はトリエタノールアミン塩、ナトリウム塩等である。【０００６】このシステムによりシャンプーとしての基本性能を維持したまま、一日に何度もシャンプーしても美容師の手荒れが少ないシャンプーを開発し本発明を完成した。【０００７】本発明に使用する界面活性剤はアシルアラニン塩、アシルグリシン塩、アシルグルタミン酸塩とラウラミドプロオイルベタインに代表されるベタイン系界面活性剤でありその混合比率は２：８から８：２である。また使用する前に水で４倍から１０倍に希釈し使用する。【０００８】以下実施例により詳細を説明する。
実施例（１）
シャンプー１
１）．ココイルアラニントリエタノールアミン（３０％水溶液）  ５５％
２）．ラウラミドプロピルベテイン（３０％水溶液）            ３５％
３）．フェノキシエタノール                                    ４％
４）．カチオン化グアーガム                                    １％
５）．プロピレングリコール                                    ３％
６）１，２アルカンジオール                                    ２％
シャンプー２
実施例１のシャンプー１の１重量部に対し水５重量部を混合したシャンプーをシャンプー２とする。シャンプー１を４−１０倍に希釈するため防腐力が落ちる。防腐剤のフェノキシエタノールは薬事法で配合上限が１％に制限されているため、防腐力を補完する意味で１，２ヘキサンジオール、１，２オクタンジオール等の１，２アルカンジオールを３％以下またはココイルアルギニンエチル塩を３％以下配合することが有効である。【０００９】比較例１
実施例１のシャンプー１の成分１をポリオキシエチレンラウリルエーテル硫酸ソーダ４０％成分２を水５０％に変更した処方を作成しシャンプー３とした。またシャンプー３を水で５倍に希釈したシャンプーをシャンプー４とする。【００１０】製造方法は以下の通りである。
シャンプー１
原料１）から６）を７０度に加熱し３０分攪拌し溶解し３５度まで冷却しシャンプー１を調整する。
シャンプー１を水で５倍に希釈しシャンプー２とする。すなわちシャンプー１に対しその５倍量の水を投入しシャンプー２とする。【００１１】実施例１
シャンプー２を手のひらに５ｇとり、髪に塗布し、髪と頭皮を充分に洗浄する。頭髪はシャンプー２そのものの泡でモコモコになり、発泡性の高いシャンプーシステムが実現しさらに２ｇのシャンプー２を手の平にとり再度頭髪に塗布後頭髪と頭皮を洗浄する。今回はさらに泡が発生し洗浄感がます。洗髪後ぬるま湯でシャンプーを流す。【００１２】比較例１
シャンプー４を手のひらに５ｇとり、髪に塗布し、髪と頭皮を充分に洗浄する。頭髪はシャンプー４で発砲するが発泡性はシャンプー２に比べ悪かった。実施例１と同様２度洗いしたがその発泡性は実施例１に比較して劣っていた。【００１３】評価試験
実施例１のシャンプー２ならびに比較例１のシャンプー４を美容師それぞれ１０名に１０日間使用してもらいアンケート調査を実施した。
評価項目はあわ立ち、髪のさっぱり感、手荒れ、の３項目であり評点は次の通りである。
評点：
大変よい    ５点
ややよい    ４点
普通        ３点
やや悪い    ２点
悪い        １点
結果を次に示す。
2016169196.tif 000002
以上の結果本発明の実施例１のシャンプー２では水で５倍に希釈したにも関わらず、毛髪、頭皮ともさっはり洗いあがることが確認できた。また連用試験において手荒れがほとんどしないとの結果が得られた。
またどのシステムが好きかとの質問には１０人とも実施例１のシステムが好きと答えた。【００１４】二週間間を置き実施例１と比較例１の評価美容師を入れ替えて同様の試験を行ったが結果はほとんど同じであった。
同時にどちらのシャンプーが好きかとの質問に対しすべての美容師が実施例１のシャンプーが好きと答えた。【００１５】以上により本発明のシャンプーは洗い上りが軽く髪がパサつかず、手荒れが少ないことが証明され、本発明を完成した。
(57)【要約】      （修正有）【課題】贈答品のディスプレイ販売をする場合に使用する、ディスプレイ用什器や容器、贈答品にする為の包材、それを作る時間やスキル、持帰る為の包材等多方面よりかかっているコストを削減出来、安価で単純で、上記問題を、単体解決して贈答品を完成させられる持運び機能付ディスプレイ容器を提供する。【解決手段】贈答品を店頭等でディスプレイする容器が、見栄え良く、持運べる形態に出来、他の包材を使わず簡単に変えられ、印刷物を型抜きしたり、製袋等で製作した持運び機能付ディスプレイ容器である。【選択図】図２
2016169047.tif 000002
【特許請求の範囲】
【請求項１】
持運び機能部分を、容器の底に降ろして敷き込み使用する、ディスプレイする容器で、贈答時に持運び出来る機能が組み込まれた容器。
其のどちらの状態でも、どちらかの機能の物に付け足した機能としてでは無い完成度の高い形態に成った持運び機能付ディスプレイ容器で、他の包材を使わずに単一で贈答品が製作出来る容器。
印刷物を抜き型に合わせ、様々なデザインが出来るので、企業、店舗、個人の単位でオリジナルの贈答用の容器が安価で作れる仕組み。
【発明の詳細な説明】
【技術分野】
【０００１】本発明は、フラワーアレンジメント、酒類、化粧品類、小物の贈答品等をディスプレイする為と、持運びをする為の汎用性の高い容器で、ディスプレイ時には、持帰りの機能部分を目立たせ無い構造を併せ持った容器に関するものである。
【背景技術】
【０００２】従来は、商品を陳列するのに容器から出して見せたり、容器に入ったまま、商品が見えない状態で陳列していた。販売した時は別の袋等の容器が必要と成った。
花の贈答品等もアレンジやディスプレイするための容器が必要で、改めて別の箱や袋と言った持ち帰り用の別の容器が必要と成っていた。
酒類や花類、その他の贈答品は二重や三重の包装となり、手間とコストがかかっていた。
ディスプレイの機能が有っても、持ち手等が隠れず、中の商品が何であるかの訴求に留まるレベルであった。
【先行技術文献】
【特許文献】
【０００３】
【特許文献１】特許公開  ２００４−１２３１１３
【特許文献２】登録実用新案  第３１１９０３０号
【発明の概要】
【発明が解決しようとする課題】
【０００４】従来の贈答品販売には、ディスプレイと、ラッピング、持帰る為の包装と言う要素が必要不可欠で有り、手間も技術もコストもかかっていた。
例えば、酒は箱ごと見せるか、箱から出して陳列し、またラッピングした後に持ち運ぶ為に袋等に入れた。
フラワーアレンジメントも花器にアレンジした物をディスプレイして、販売の時は更にセロファン等で包み、持ち運ぶ袋に入れるのが一般的であり、花器、包材、時間、技術等々のコストがかかってしまっていた。
持ち運び機能付陳列用の容器も有ったが、ディスプレイ時に持ち運び機能部分が露出されていた為、贈答品として使うには安っぽく、好まれなかった。
更にどの商品も似通った物となり、オリジナリティー有る表現は難しかった。【０００５】本発明は、この様な従来の贈答品のディスプレイや、包装が有していた問題を解決しようとするもので有り、ディスプレイを高いデザイン性で表現出来、その容器単体で、持運び機能を持たせた物であり、低コストで製作出来、どちらの状態でも完成されたデザイン性を保てる容器にした物である。
【課題を解決する為の手段】
【０００６】そこで、本発明にあたっては、上記課題を解決する為、紙や塩ビ、その他の印刷出来る素材により作り、容器の側面上部にハンドル機能を持たせ、持運ぶ機能を付帯させた。
その容器の内、外側にデザインや色を施し、ディスプレイ時にはハンドル機能を付けた側面を外側に倒し、本体底部分に敷いてハンドル機能部を隠す構造にした。
箱の形態や、袋の形態等、どちらにも反映出来る特徴が有る製作しやすい構造にした。
販売時はそのハンドル部を上に戻し、そのまま渡す事が出来る構造と成っている。
容器内側に印刷や素材の色等でデザインや色を施す事で、持運び機能の状態とは全く異なった飾る状態にした時も、完成された高いデザイン性が保てる事で、ディスプレイ、持運び、また、手間の簡素化、コストの削減と言った問題を全て解決した容器が作れる。
【発明の効果】
【０００７】安価な素材で作れる一つの容器でディスプレイ、持運ぶ包財のどちらの役割も果たす。
ディスプレイ状態から、誰でも出来る簡素な作業での持運び形態への移行が出来る、その為、購買者を待たせる事無く、贈答品を完成させる事が可能に成り、回転率を上げる。
また、贈答品を入れる更なる袋等が必要無くなる為、贈答品を仕上げるにあたってのコストの削減が多方面から図れる。
容器の内、外側共にデザインを施し製作出来る為、企業等、オリジナルデザインを施して、独自の表現が安価で簡単に作り出す事が出来る。
その為、見た目の高級感を損なう事無く安価な贈答品が企画出来る。
また、この容器に花を入れた贈答品等は、受け取った側がハンドル部を底面に敷いて、そのまま飾る事が出来る為、一般のギフトからブライダルの引き出物、病気見舞等にも大変便利で、花を受け取った相手が花瓶等用意する必要が無く、飾れる為、花業界や、贈答品でのコスト削減と活性化が図れる。
【図面の簡単な説明】
【０００８】
【図１】本発明の平面図
【図２】本発明の立体を示す図
【発明を実施する為の形態】
【０００９】以下本発明の形態について、図面を参照しつつ詳細に説明すれば、図１、は実施例を表すもっとも一般的な形態の箱形と袋型容器の平面図に成る。
持運び部（１）は、ディスプレイ時に組立時には底と成る（２）の下に敷いて使用する仕組みで（４）の側面に当たる部分の高さを下げた事により（１）（３）部分を外側に倒せる容器と成り、ディスプレイ時は持運び機能部（１）を底部（２）の下に敷くと、（３）の内側が露出してくる。
容器は色付素材や印刷等で自由にデザインが出来、ディスプレイ時に露出する（３）の内側、または容器全体の内外に、印刷等でデザインを施せる為、オリジナルの表現が安価で製造する事が可能である。
印刷出来る紙やエンビ等を用いて、型抜きして製作する単純な形態の容器で有るので、本体や側面部（４）の高さを変えて対象物に対して、簡単に低コストで、オリジナルの容器が簡単に製作出来る。
ディスプレイをして置いた商品を贈答用にするのに、持運び機能部（１）を底（２）から取り出し、上に戻す単純な作業しか必要が無く、人件費の削減や、他の持ち帰り用の袋等が必要無く、多方面からのコスト削減が見込める構造に成っている。
【０００１０】なお、本発明における容器の、大きさ、素材、素材の防水や非防水処理、製作方法は限定されず、本体（１）〜（４）の抜き型の形状等は変える事が可能である。
ディスプレイ時に降下部（３）の形は限定されず、含ませたりの変形が可能であり、数も、２カ所とは限らず、複数に変える事が可能である。
側面（４）の形も限定されず変形が可能である。
【符号の説明】
【０００１１】１持運び機能部
２ディスプレイ時に、持運び部を隠す底部分
３本体正面部
４高さ調整する本体側面部
【図１】
2016169047.tif 000003
【図２】
2016169047.tif 000004
(57)【要約】【課題】  天井板の崩落を防止すること。【解決手段】  ２枚の天井板をそれぞれ一端で合わせ込み、他端をトンネルの側壁に所定の角度で押しつけて構成される。【選択図】        図２
2016065381.tif 000002
【特許請求の範囲】
【請求項１】
２枚の天井板をそれぞれ一端で合わせ込み、他端をトンネルの側壁に所定の角度で押しつけて構成されるトンネルの構造。  
【発明の詳細な説明】
【技術分野】
【０００１】
本発明はトンネルの構造に関し、更に詳しくは安全なトンネルの構造に関する。
【背景技術】
【０００２】
道路や鉄道では、山を貫通するトンネルが用いられる。特に、高速道路では、道路を可能な限りまっすぐに維持するため、トンネルが設けられる。
図１は従来のトンネルの構成図である。図において、１は天井、７は側壁、６は道路、８はトンネルを通過する車である。２は天井板である。３は天井板２を吊る吊り金具である。４は天井１に取り付けられたナットで構成される結合部、吊り金具３は該結合部４に締め付けられるボルトで構成される。該吊り金具３の他端は固着部５を介して天井板２に取り付けられ、天井板２を吊っている。このように、天井板２でトンネルを２分しているのは、排気を行なうためである。１０，１１はトンネル内を照らすライトである。
【０００３】
即ち、吊り金具３に沿って隔壁を設け、その一方を送風ダクト、他方を排気ダクトとして、トンネル内の換気を行なっているものである。
【発明の概要】
【発明が解決しようとする課題】
【０００４】
前述した従来のトンネルでは、天井板２を吊り金具３で吊っているため、結合部４に経年劣化が生じ、吊り金具３が結合部４から外れてしまうという問題があった。
現に、２０１２年１２月２日に、東京方面と山梨方面を結ぶ笹子トンネルで天井板の崩落事故が発生し、この崩落事故に巻き込まれ、９名が死亡するという大惨事となった。
本発明はこのような課題に鑑みてなされたものであって、天井板の崩落事故が発生しないトンネルの構造を提供することを目的としている。
【課題を解決するための手段】
【０００５】
前記した課題を解決する本発明は、
２枚の天井板をそれぞれ一端で合わせ込み、他端をトンネルの側壁に所定の角度で押しつけて構成されるトンネルの構造としたものである。
【発明の効果】
【０００６】
本発明によれば、天井板を吊り金具で吊る構成ではないので、天井板の崩落を起こすことがなく、安全なトンネルを実現することができる。
【図面の簡単な説明】
【０００７】
【図１】従来のトンネルの構成を示す図
【図２】本発明のトンネルの構成を示す図
【図３】本発明のトンネルの動作説明図
【発明を実施するための形態】
【０００８】
以下、図面を参照して本発明の実施例を詳細に説明する。
図２は本発明の一実施例を示す構成図である。図１と同一のものは、同一の符号で示す。なお、図１に示したライト１０，１１は
図において、１は天井、７は側壁、６は道路、８は車である。１２,１３は天井板、１４はこれら天井板１１,１２を真ん中で合わせ込む結合部である。該結合部１４は、外れることがないように、しっかり固定されている。これら天井板１２,１３の他端はそれぞれ側壁７に水平方向に対して所定の角度θで押しつけられている。天井板１０，１１としては、例えば鉄筋入りのコンクリート板が用いられるが、強化プラスチックでもよい。結合部１４から天井１に換気用の隔壁１５が設けられている。このように構成されたトンネルの構造について説明する。
【０００９】
図３は本発明に係るトンネルの説明図である。天井板１２が側壁７に所定の角度θで押しつけられる。この時の側壁にかかる力をＦとする。この力Ｆを水平方向と垂直方向に分解する。水平方向の成分はＦｃｏｓθ、垂直方向の成分はＦｓｉｎθで表される。
この水平方向の成分Ｆｃｏｓθは側壁７から与えられる力Ｆ１で釣り合う。また垂直方向の成分Ｆｓｉｎθは道路６が形成される大地からの力Ｆ２で釣り合う。地面からの力Ｆ２は十分に大きくすることができる。問題は側壁７の強度である。Ｆｃｏｓθに釣り合う力Ｆ１を発揮する必要があるため、十分に強度のある側壁７とすることが必要である。なお、換気用の側壁１５は空間を仕切るだけでよいので、強固な構造とする必要はない。上述の説明では、天井板１２側について説明したが、天井板１３側についても全く同様である。
【００１０】
本発明によれば、天井板を天井から吊るのではなく、天井板を支える力は、大地と側壁からの力により与えられるので、天井板の崩落という事故は起きない。
【産業上の利用可能性】
【００１１】
本発明は高速道路のみならず、軌道式の電車又は列車用のトンネルにも等しく適用することができる。
【符号の説明】
【００１２】
1  天井
２  天井板
３  吊り金具
４  結合部
５  固着部
６  道路
７  側壁
８  車
１０  ランプ
１１  ランプ
１２  天井板
１３  天井板
１４  結合部
１５  隔壁
【図１】
2016065381.tif 000003
【図２】
2016065381.tif 000004
【図３】
2016065381.tif 000005
(57)【要約】【課題】従来、物を測定する際、長さ、幅、高さを一か所ごとメジャー等数値のわかるものをあて測定し、メモ用紙等に書き留めるとうい手間を、本発明により、簡単明瞭に測定をすることができる。又、メモリの単位をセンチメートル、に限らず、インチ、フィート、フット等外国で使う単位を付ける事により、本発明は日本だけではなく、海外の物も測定できる。  本発明は物を簡単明瞭に測定するためのＴ型メジャーを提供する。【解決手段】左右横方向２、３の両側にメジャーを配置し、左右のメジャー２，３の中心に縦方向のメジャー４を設け、本体のメジャー１をＴ字状に設けたＴ型メジャー。【選択図】図１
2016170156.tif 000002
【特許請求の範囲】
【請求項１】
左右横方向（２）（３）の両側にメジャーを配置し、左右のメジャー（２）（３）の中心に縦方向のメジャー（４）を設け、本体のメジャー（１）をＴ字状に設けたＴ型メジャー。
【発明の詳細な説明】
【技術分野】
【０００１】    本発明は物を測定する際の測定器に関するものである。
【背景技術】
【０００２】    従来、物を測る際、メジャー、巻尺等目盛のついたもので測定している。
【発明の概要】
【発明が解決しようとする課題】
【０００３】    物を測定する際、長さ、幅、高さを一か所ごとメジャー、巻尺等目盛のついたものをあて測り、それぞれの測定値を何度もメモ用紙等に書きとめ、その数値を参考にしている。
本発明は、以上の問題点を解決するためになされたものである。
【課題を解決するための手段】
【０００４】    左右横方向（２）（３）の両側にメジャーを配置し、左右のメジャー（２）（３）の中心に縦方向のメジャー（４）を設け、本体のメジャー（１）をＴ字状に設けたＴ型メジャー。
【発明の効果】
【０００５】  従来、物を測定する際、長さ、幅、高さを一か所ごとメジャー、巻尺等目盛のついたものをあて測り、それぞれの測定値を何度もメモ用紙等に書きとめるという手間を、本発明により簡単明瞭に測定をすることができる。又メモリの単位をセンチメートル、に限らず、インチ、フィート、フット等外国で使う単位を付ける事により、本発明は日本だけではなく、海外の物も測定できる。
【図面の簡単な説明】
【０００６】
【図１】本発明の平面図
【図２】本発明の使用状態を示す図
【発明を実施するための形態】
【０００７】    以下、本発明の実施形態を説明する。
⊥型に裁断した破れない強度があり、且つ、端から中央へ巻くことができる柔軟性を併せ持つ紙製品やビニール製品の素材の縦と横の交わる所を中心０位置とし
（イ）本体のメジャー（１）はＴ字状に設けられている。
（ロ）左右横方向（２）（３）の両側にメジャーを配置し、左右のメジャー（２）（３）の中心に縦方向のメジャー（４）を設ける。この際の目盛はセンチメートル表記だが、インチ、フィート、フット等の単位で目盛を付けることもある。
本発明は以上のような構造である。
本発明を使用する際は、測定物に角があるような物に対してはＴ型メジャーの中心０位置を角にあて、長さ、幅、高さ部位に沿ってあてがい、測定物が円形のような物に対しては、左、右，縦に伸びたメジャーを巻き付けるようにし、丁度の所をペン等でしるしをつける。Ｔ型メジャーに何のどこの部分を測定したのか等記入してもよい。
【符号の説明】
【０００８】１  Ｔ字状のメジャー、２  左方向のメジャー、３  右方向のメジャー、
４  縦方向のメジャー
【図１】
2016170156.tif 000003
【図２】
2016170156.tif 000004